(57)【要約】【課題】不使用時にはコンパクトにして携帯でき、ルーペの使用時には発光ダイオードから照射される光を確実にルーペの下方の対象物に照射できるようにした折り畳み式ルーペ付きキーホルダを提供すること。【解決手段】キー等が着脱可能な取付フック１を有するキーホルダ本体１０と、キーホルダ本体に回転自在に枢着されると共にキーホルダ本体に設けられた収納室１１に対して収納及び引き出し可能なルーペ２０と、キーホルダ本体から引き出されたルーペに向かって光を照射する発光ダイオード３０と、該発光ダイオードに接続する電池とを具備し、発光ダイオードと電池とを接続する配線に介設されたスイッチと、ルーペとを接離可能に形成すると共に、ルーペが収納室から引き出された際に、スイッチを入状態にして発光ダイオードを点灯するように形成する。【選択図】    図５
0003117397.tif 000002
【実用新案登録請求の範囲】
【請求項１】
キー等が着脱可能な取付フックを有するキーホルダ本体と、該キーホルダ本体に回転自在に枢着されると共にキーホルダ本体に設けられた収納室に対して収納及び引き出し可能なルーペと、上記キーホルダ本体から引き出された上記ルーペに向かって光を照射する発光ダイオードと、該発光ダイオードに接続する電池と、を具備し、
上記発光ダイオードと電池とを接続する配線に介設されたスイッチと、上記ルーペとを接離可能に形成すると共に、ルーペが上記収納室から引き出された際に、スイッチを入状態にして上記発光ダイオードを点灯するように形成してなる、ことを特徴とする折り畳み式ルーペ付きキーホルダ。
【請求項２】
請求項１記載の折り畳み式ルーペ付きキーホルダにおいて、
上記キーホルダ本体は、互いに対峙すると共にいずれか一方に発光ダイオード、電池収納部を有する表，裏面部材と、これら表，裏面部材間の周縁部に開口を残して挟持される、取付フックを有するフック部材とで構成され、この際、上記表，裏面部材から突設されたブラケット部に上記フック部材がピンを介して固定されると共に、該ピンにルーペを回転自在に枢着してなる、ことを特徴とする折り畳み式ルーペ付きキーホルダ。
【請求項３】
請求項１又は２記載の折り畳み式ルーペ付きキーホルダにおいて、
上記キーホルダ本体の収納室における開口部と、ルーペを保持する保持枠の自由端部とに、ルーペの収納状態を維持すべく互いに吸着可能なマグネットを取着してなる、ことを特徴とする折り畳み式ルーペ付きキーホルダ。
【考案の詳細な説明】
【技術分野】
【０００１】
この考案は、ルーペ付きキーホルダに関するもので、更に詳細には、照明機能を有する折り畳み式ルーペ付きキーホルダに関するものである。
【背景技術】
【０００２】
従来、暗い場所でドアや自動車等のキーを使う場合、照明があると便利であることから、キーホルダに照明機能例えば発光ダイオードを具備したものが知られている（例えば、特許文献1参照）。
【０００３】
また、細かいものを見る時にルーペ等の拡大鏡があると便利な場合があり、特に視力が低下した者にとっては、携帯に便利なルーペ等の拡大鏡が必要である。このルーペを使用する場合も、暗い場所においては照明があると便利なことから、照明付きルーペが使用されている（例えば、特許文献２参照）。
【特許文献１】意匠登録第１２３３５６９号公報
【特許文献２】特開２００３−１８７６０１号公報（特許請求の範囲、図1）
【考案の開示】
【考案が解決しようとする課題】
【０００４】
しかしながら、前者すなわち意匠登録第１２３３５６９号公報に記載のキーホルダにおいては、暗い場所でキーを使用する場合、押しボタンを押して発光ダイオードを点灯させた状態で発光ダイオードから照射される光を対象物であるキー穴（鍵穴）に照らしながら使用するため、照射位置がずれ易く、特に細かい対象物においてはキー操作等がしづらいという問題がある。
【０００５】
これに対して、後者すなわち特開２００３−１８７６０１号公報に記載のものにおいては、ルーペに照明機能が具備されているので、細かい対象物においても光を照射して拡大して見ることができる。しかし、このルーペは折り畳み式のカード型のものであり、しかも、使用時にスイッチを操作して照明装置を点灯した状態で照射位置をルーペの下方に合わせなければならないという煩わしさがある。また、カード型であるので、キーホルダのように携帯することには不向きである。
【０００６】
この考案は、上記事情に鑑みなされたもので、不使用時にはコンパクトにして携帯でき、ルーペの使用時には発光ダイオードから照射される光を確実にルーペの下方の対象物に照射できるようにした折り畳み式ルーペ付きキーホルダを提供することを課題とする。
【課題を解決するための手段】
【０００７】
上記課題を解決するために、この考案の折り畳み式ルーペ付きキーホルダは、キー等が着脱可能な取付フックを有するキーホルダ本体と、該キーホルダ本体に回転自在に枢着されると共にキーホルダ本体に設けられた収納室に対して収納及び引き出し可能なルーペと、上記キーホルダ本体から引き出された上記ルーペに向かって光を照射する発光ダイオードと、該発光ダイオードに接続する電池と、を具備し、上記発光ダイオードと電池とを接続する配線に介設されたスイッチと、上記ルーペとを接離可能に形成すると共に、ルーペが上記収納室から引き出された際に、スイッチを入状態にして上記発光ダイオードを点灯するように形成してなる、ことを特徴とする（請求項１）。
【０００８】
また、請求項２記載の考案は、請求項１記載の折り畳み式ルーペ付きキーホルダにおいて、上記キーホルダ本体は、互いに対峙すると共にいずれか一方に発光ダイオード、電池収納部を有する表，裏面部材と、これら表，裏面部材間の周縁部に開口を残して挟持される、取付フックを有するフック部材とで構成され、この際、上記表，裏面部材から突設されたブラケット部に上記フック部材がピンを介して固定されると共に、該ピンにルーペを回転自在に枢着してなる、ことを特徴とする。
【０００９】
また、請求項３記載の考案は、請求項１又は２記載の折り畳み式ルーペ付きキーホルダにおいて、上記キーホルダ本体の収納室における開口部と、ルーペを保持する保持枠の自由端部とに、ルーペの収納状態を維持すべく互いに吸着可能なマグネットを取着してなる、ことを特徴とする。
【考案の効果】
【００１０】
（１）請求項１記載の考案によれば、不使用時には、ルーペはキーホルダ本体に設けられた収納室内に収納されることにより、コンパクトな状態で携帯することができる。また、使用時には、ルーペを回転して収納室内から引き出すと同時に発光ダイオードが点灯するので、スイッチ操作する必要なく、ルーペの下方の対象物に確実に光を照射することができる。
【００１１】
（２）請求項２記載の考案によれば、キーホルダ本体は、互いに対峙すると共にいずれか一方に発光ダイオード、電池収納部を有する表，裏面部材と、これら表，裏面部材間の周縁部に開口を残して挟持される、取付フックを有するフック部材とで構成され、この際、表，裏面部材から突設されたブラケット部にフック部材をピンを介して固定すると共に、該ピンにルーペを回転自在に枢着する構造とするので、上記（１）に加えて更に少ない構成部材で構成することができると共に、コンパクトに組み立てることができる。
【００１２】
（３）請求項３記載の考案によれば、キーホルダ本体の収納室における開口部と、ルーペを保持する保持枠の自由端部とに、ルーペの収納状態を維持すべく互いに吸着可能なマグネットを取着してなるので、ルーペが収納室内に収納されている状態では、キーホルダ本体に取着されたマグネットとルーペを保持する保持枠に取着されたマグネットが吸着して、ルーペが不用意に収納室内から引き出されるのを防止することができる。
【考案を実施するための最良の形態】
【００１３】
以下に、この考案の最良の実施形態について、添付図面に基づいて詳細に説明する。
【００１４】
図１は、この考案に係る折り畳み式ルーペ付きキーホルダ（以下にルーペ付きキーホルダという）のルーペの収納状態を示す正面図、図２は、ルーペの収納状態を示す背面図、図３は、ルーペの収納状態の一部を断面で示す分解側面図、図４は、ルーペの収納状態を示す斜視図、図５は、ルーペの引き出し状態を示す斜視図である。
【００１５】
この考案に係るルーペ付きキーホルダは、キー等が着脱可能な取付フック１を有するキーホルダ本体１０と、該キーホルダ本体１０に回転自在に枢着されると共にキーホルダ本体１０に設けられた収納室１１に対して収納及び引き出し可能なルーペ２０と、キーホルダ本体１０から引き出されたルーペ２０に向かって光を照射する発光ダイオード３０と、該発光ダイオード３０に配線４０を介して接続する電池４１とで主に構成されている。また、後述するように、発光ダイオード３０と電池４１とを接続する配線４０に介設されたスイッチ４２と、ルーペ２０とが接離可能に形成されており、ルーペ２０が収納室１１から引き出された際に、スイッチ４２を入状態（ＯＮ状態）にして発光ダイオード３０が点灯され、ルーペ２０が収納室１１内に収納された状態では発光ダイオード３０が消灯するように形成されている（図６参照）。
【００１６】
上記キーホルダ本体１０は、互いに対峙する略楕円形状の表面部材３，裏面部材４と、これら表面部材３，裏面部材４間の周縁部に開口を残して挟持される、取付フック１を有するフック部材２とで構成されており、これら表面部材３，裏面部材４及びフック部材２とで収納室１１が形成されている。また、表面部材３及び裏面部材４から突設されたブラケット部５にフック部材２がピン６を介して固定されると共に、該ピン６にルーペ２０が回転自在に枢着されて、ルーペ２０が収納室１１内に収納又は収納室１１から引き出し可能に形成されている。
【００１７】
また、上記表面部材３及び裏面部材４のいずれか一方例えば裏面部材４には、発光ダイオード３０が装着されている。この場合、発光ダイオード３０は、発光部がルーペ２０の引き出し側に向けて装着されている（図２，図３及び図５参照）。また、裏面部材４には、電池収納部７が設けられており、この電池収納部７内に収納される電池４１を電池収納部７の開口部にねじ結合されるキャップ部材８によって押し付けることによって、電池４１の一方の極例えばマイナス極が配線４０の接続端子片４０ａに接続されるようになっている。
【００１８】
上記ルーペ２０は、上記ピン６に回転自在に枢着される環状の保持枠２１内に嵌挿されて保持されるレンズによって形成されている。この場合、保持枠２１の回転中心に対する自由端部には、外方側に屈曲状に突出する指掛け部２２が形成されている。このように、保持枠２１の自由端部に指掛け部２２を設けることにより、収納状態にあるルーペ２０を収納室１１内から容易に引き出すことができる。
【００１９】
また、キーホルダ本体１０の収納室１１における開口部１２と、保持枠２１の自由端部とに、ルーペの収納状態を維持すべく互いに吸着可能なマグネット５０，５１が取着されている（図３参照）。このように、収納室１１の開口部１２と、保持枠２１の自由端部とに、ルーペの収納状態を維持すべく互いに吸着可能なマグネット５０，５１を取着することにより、ルーペ２０が収納室１１内に収納されている状態において、両マグネット５０，５１が吸着して、ルーペ２０が不用意に収納室１１内から引き出されるのを防止することができる。
【００２０】
次に、ルーペ２０の収納室１１内への収納時と収納室１１外への引き出し時における発光ダイオード３０の消灯，点灯の関係について説明する。図６に示すように、発光ダイオード３０と電池４１を接続する配線４０には、常時接続状態（ＯＮ状態）のスイッチ４２が介設されている。このスイッチ４２は、収納室１１内に向かって突出しており（図６（ｂ）参照）、収納室１１内にルーペ２０が収納されると、ルーペ２０がスイッチ４２に係合してスイッチ４２を切状態（ＯＦＦ状態）にする（図６（ａ）参照）。したがって、キーホルダ本体１０の収納室１１内にルーペ２０を収納した状態ではスイッチ４２が切状態（ＯＦＦ状態）となるので、発光ダイオード３０は消灯している。また、使用時に収納室１１内からルーペ２０を引き出すとルーペ２０とスイッチ４２との係合が解かれてスイッチ４２は入状態（ＯＮ状態）となるので、発光ダイオード３０が点灯し、図７に示すように、収納室１１内から引き出されたルーペ２０の下方側に光Ｂを照射する。
【００２１】
なお、この考案に係るルーペ付きキーホルダは、取付フック１にキーを取り付けて使用するキーホルダ以外に、取付フック１をバッグ類や衣服例えばズボンのベルト通し等に取り付けて携帯用ルーペとしても使用することができることは勿論である。
【図面の簡単な説明】
【００２２】
【図１】この考案に係るルーペ付きキーホルダのルーペ収納状態を示す正面図である。
【図２】上記ルーペ付きキーホルダのルーペ収納状態を示す背面図である。
【図３】上記ルーペ付きキーホルダのルーペ収納状態の一部を断面で示す分解側面図である。
【図４】上記ルーペ付きキーホルダのルーペ収納状態を示す斜視図である。
【図５】上記ルーペ付きキーホルダのルーペ引き出し状態を示す斜視図である。
【図６】この考案におけるルーペと発光ダイオードの配線部のスイッチとの関係を示す概略構成図である。
【図７】上記ルーペ付きキーホルダの使用状態を示す斜視図である。
【符号の説明】
【００２３】
１  取付フック
２  フック部材
３  表面部材
４  裏面部材
５  ブラケット部
６  ピン
７  電池収納部
１０  キーホルダ本体
１１  収納室
１２  開口部
２０  ルーペ
２１  保持枠
３０  発光ダイオード
４０  配線
４１  電池
４２  スイッチ
５０，５１  マグネット
【図１】
0003117397.tif 000003
【図２】
0003117397.tif 000004
【図３】
0003117397.tif 000005
【図４】
0003117397.tif 000006
【図５】
0003117397.tif 000007
【図６】
0003117397.tif 000008
【図７】
0003117397.tif 000009